(57)【要約】【課題】  意思表面を行うことが困難な対象者を監視する場合であっても、対象者の内面的な状態の推測が可能な監視ユニットおよび監視システムを提供する。【解決手段】  ベビーカー１０に乗る乳幼児１を監視するための監視ユニットであって、心拍・呼吸センサ２２と、モニタ部２６とを備えている。心拍・呼吸センサ２２は、乳幼児１の心拍数情報と呼吸数情報との少なくともいずれか一方の情報を取得する。モニタ部２６は、心拍・呼吸センサ２２が取得した情報に関する出力を行う。【選択図】        図１
2005237719.tif 000002
【特許請求の範囲】
【請求項１】
ベビーカー（１０）に乗る対象者（１）を監視するための監視ユニット（２０）であって、
前記対象者（１）の心拍数情報と呼吸数情報との少なくともいずれか一方の情報を取得する情報取得手段（２２）と、
前記情報取得手段（２２）が取得した情報に関する出力を行う出力手段（２６）と、
を備えた監視ユニット（２０）。
【請求項２】
前記出力手段（２６）は、前記情報取得手段（２２）が取得した情報が所定の条件を満たしていない場合に報知する、
請求項１に記載の監視ユニット（２０）。
【請求項３】
前記出力手段（２６）は、前記情報取得手段（２２）が取得した情報が所定の条件を満たしていない場合に、前記条件を満たしていない場合の情報に応じた報知を行う、
請求項２に記載の監視ユニット（２０）。
【請求項４】
前記対象者（１）の近傍の空気を調和する空気調和手段（２８）をさらに備え、
前記空気調和手段（２８）は、前記情報取得手段（２２）が取得した情報に基づいて空調制御を行う、
請求項１から３のいずれか１項に記載の監視ユニット（２０）。
【請求項５】
前記空気調和手段（２８）の空調制御は、風量または温度のいずれかを調整する制御である、
請求項４に記載のモニタ部監視ユニット（２０）。
【請求項６】
前記心拍数情報は、心電波から求まるＲ波の間隔に基づく情報である、
請求項１から５のいずれか１項に記載の監視ユニット（２０）。
【請求項７】
前記情報取得手段（２２）は、前記対象者（１）の前記心拍数情報と前記呼吸数情報との少なくともいずれか一方の情報を非接触に取得する、
請求項１から６のいずれか１項に記載の監視ユニット（２０）。
【請求項８】
前記情報取得手段（２２）は、前記対象者（１）の心拍数情報と呼吸数情報とのいずれか一方の情報を、マイクロ波もしくは超音波を介して取得する、
請求項７に記載の監視ユニット（２０）。
【請求項９】
前記ベビーカー（１０）に対して着脱可能な取付部（２１）をさらに備える、
請求項１から８のいずれか１項に記載の監視ユニット（２０）。
【請求項１０】
前記情報取得手段（２２）は、前記対象者（１）の心拍数情報と呼吸数情報とのいずれの情報も取得可能である、
請求項１から９のいずれか１項に記載の監視ユニット（２０）。
【請求項１１】
監視する対象者（１）の心拍数情報と呼吸数情報との少なくともいずれか一方の情報を取得する情報取得手段（１２２）と、
前記情報取得手段（１２２）が取得した情報に関する出力を行う出力手段（１２６）と、
を備えたベビーカー（１１０）。
【請求項１２】
監視する対象者（１）の心拍数情報と呼吸数情報との少なくともいずれか一方の情報を取得する情報取得手段（１２２）と、
前記情報取得手段（１２２）が取得した情報に基づいて前記対象者（１）の近傍の空気を調和する空気調和手段（１３０）と、
を備えたベビーカー（１１０）。
【請求項１３】
ベビーカー（１０）に乗る対象者（１）を監視するための監視システムであって、
医療機関（３０）に設けられる医療機関通信装置（３１）と、
前記対象者（１）の心拍数情報と呼吸数情報との少なくともいずれか一方の情報を取得する情報取得部（２２）と、前記医療機関通信装置（３１）との通信が可能な情報通信部（２７）とを有する情報制御装置（２０）と、
を備えた監視システム。
【請求項１４】
前記情報通信部（２７）は、前記情報取得部（２２）が取得した情報が所定の条件を満たしていない場合に、前記医療機関通信装置（３１）に対して送信する、
請求項１３に記載の監視システム。
【請求項１５】
前記情報通信部（２７）は、前記情報取得部（２２）が取得した情報が所定の条件を満たしていない場合に、前記医療機関通信装置（３１）に対して前記条件を満たしていない場合についての情報を送信する、
請求項１３または１４のいずれかに記載の監視システム。
【発明の詳細な説明】
【技術分野】
【０００１】
本発明は、監視ユニットおよび監視システム、特に、ベビーカーに乗る対象者を監視するための監視ユニットおよび監視システムに関する。
【背景技術】
【０００２】
幼いために意思表示をすることが困難である乳幼児等は、自分が異常な状態や危険な状態等になった場合であっても自ら他人に伝えたり改善したりすることが難しく、親等が世話をしてやる必要がある。また、このような乳幼児等については、先の行動を予測することが困難であるため、親等は、できるだけ近くに居る等して乳幼児に対して常に注意深く関心を向けていてやれることが望ましい。ところが、監視する側である親等は他の用事を行わなければならない場合もあり、監視対象者である乳幼児の近くに居ることができなかったり、また、乳幼児の状態を常時把握することができないために他の用事に安心して取り組むことが難しくなったりする等の場合がある。
【０００３】
これに対して、近年、以下の特許文献１において示すように、乳幼児の様子を映し出す監視モニタを親等から見える位置に設置した監視装置が提案されている。この監視装置によると、監視を行う親等が乳幼児から離れた場所に居たり、目の届かない場所に居る場合であっても、乳幼児をカメラにより撮影して、得られた画像データを監視モニタに映し出すことができる。これにより、意思表明することが困難な乳幼児を監視する場合であっても、監視を行う親等の監視負担を軽減させている。
【特許文献１】特開２００３−９２７４７号公報
【発明の開示】
【発明が解決しようとする課題】
【０００４】
ところが、上記監視モニタを用いた従来の監視装置では、乳幼児の外観上の様子について監視することで外面的な状態を把握することができるが、監視対象者の内面的な状態について把握することは難しい。また、このような内面的な状態の変化は乳幼児の表情が変化する等の外観上の様子として表れる場合もあるが、わずかな表情の変化等からでは内面的な状態を把握することが困難な場合が多い。
【０００５】
本発明の課題は、意思表明を行うことが困難な対象者を監視する場合であっても、対象者の内面的な状態の推測が可能な監視ユニットおよび監視システムを提供することにある。
【課題を解決するための手段】
【０００６】
請求項１に記載の監視ユニットは、ベビーカーに乗る対象者を監視するための監視ユニットであって、情報取得手段と、出力手段とを備えている。情報取得手段は、対象者の心拍数情報と呼吸数情報との少なくともいずれか一方の情報を取得する。出力手段は、情報取得手段が取得した情報に関する出力を行う。心拍数情報には、例えば、単位時間における心拍数に関する情報や心拍の間隔に関する情報等が含まれる。呼吸数情報には、例えば、単位時間における呼吸数に関する情報や呼吸の深さに関する情報等が含まれる。また、出力手段による出力には、単なる心拍数や呼吸数の表示だけではなく、心拍数情報と呼吸数情報とを組み合わせて得られる情報に関する表示や、異常状態を報知したりすること等も含まれる。
【０００７】
意思表明を行うことが困難な対象者を監視する場合において、監視モニタ等を用いた従来の監視装置等では、対象者の外面的な様子についての監視は可能であるが、内面的な状態についての監視は困難となることが多い。
これに対して請求項１に記載の監視ユニットでは、情報取得手段によってベビーカーに乗る対象者の心拍数情報等が取得され、出力手段によってその情報に関する内容が出力されるため、対象者を監視する者に心拍数情報等に関する情報を把握させることができるようになる。このため、意思表明が困難な対象者を監視する際に、外観上では気が付きにくい内面的な状態変化が対象者に生じている場合であっても、対象者の内面的な状態を推測することができるようになる。なお、ここでの内面的な状態としては、例えば、対象者の覚醒度や疲労度およびストレス度等が含まれる。
【０００８】
なお、情報取得手段は、対象者に接するようにして設けられていてもよい。この場合には、情報取得手段が対象者から心拍数情報や呼吸数情報を取得する際における感度等をより向上させることができ、情報の検出精度を向上させることが可能になる。
請求項２に記載の監視ユニットは、請求項１に記載の監視ユニットであって、出力手段は、情報取得手段が取得した情報が所定の条件を満たしていない場合に報知する。ここでの所定の条件としては、例えば、対象者の心拍数情報に関して正常と異常とを判断するための上限と下限との閾値の条件や、呼吸数情報に関して正常と異常とを判断するための上限と下限との閾値の条件、もしくは正常状態や異常状態が所定の時間持続されたか否かに関する時間閾値の条件等が含まれる。
【０００９】
ここでは、心拍数情報や呼吸数情報が所定の条件を満たすか否かによって、対象者の監視を行う者に対して、異常な状態である旨や正常な状態である旨等を知らせることができるようになる。このため、監視を行う者は、対象者の状態変化をより容易に把握することができるようになる。
例えば、ここでは、監視を行う者は、対象者に対して常に関心を向けていなくても出力手段によって報知されるため、監視を行い易くなる。
【００１０】
請求項３に記載の監視ユニットは、請求項２に記載の監視ユニットであって、出力手段は、情報取得手段が取得した情報が所定の条件を満たしていない場合に、条件を満たしていない場合の情報に応じた報知を行う。ここでの所定の条件としては、例えば、対象者の心拍数情報に関して正常と異常とを判断するための上限と下限との閾値の条件や、呼吸数情報に関して正常と異常とを判断するための上限と下限との閾値の条件、もしくは正常状態や異常状態が所定の時間持続されたか否かに関する時間閾値の条件等が含まれる。
【００１１】
ここでは、対象者が、心拍数情報や呼吸数情報等に基づいて正常な状態であると判断される場合、異常な状態であると判断される場合もしくは所定の時間ある状態が持続した場合等に、一律な態様によって報知を行うのではなく、それぞれの条件を満たしていない場合の状態に応じた態様で報知を行う。このため、監視する者は、対象者の状態変化について、より詳細に把握することが可能になる。
【００１２】
例えば、情報取得手段によって取得された心拍数に関する情報が、心拍数に関する所定の上限閾値条件を越えた場合と、所定の下限閾値条件を越えた場合とで、報知の態様を違えることにより、監視する者は、対象者の心拍数の変化についてより詳細に把握することができるようになる。
請求項４に記載の監視ユニットは、請求項１から３のいずれか１項に記載の監視ユニットであって、空気調和手段をさらに備えている。この空気調和手段は、情報取得手段が取得した情報に基づいて、対象者の近傍の空気を調和する空調制御を行う。
【００１３】
従来から、対象者に熱がこもる等で対象者が不快に感じることを抑制するために、例えば、ベビーカーに送風機を設けて熱を逃がしてやり、対象者が快適でいられるように工夫されている。ところが、未だに自らの意思表明を行うことが困難な対象者をベビーカーに乗せる場合において、従来のように送風機等の空調装置によって単純にＯＮ・ＯＦＦ制御を行うだけでは、実際に快適に感じているか不快に感じているのか判断が困難になることが多い。
【００１４】
これに対して請求項４に記載の監視ユニットでは、空気調和手段をさらに備えており、情報取得手段が取得した情報に基づいて、対象者の近傍の空気を調和することができる。このため、未だに自らの意思表明を行うことが困難な対象者の周辺の空気を調和する際に、外観上では対象者の快・不快等の内面的な状態まで把握することが困難な場合であっても、情報取得手段によって取得した情報に基づいて対象者のストレス度等を反映させた空調制御を行うことができる。これにより、周囲の環境を対象者の感じる快適基準に応じて改善させることが可能になる。また、例えば、ここでは、情報取得手段が取得した情報に基づいて空気調和手段を制御するため、空気調和装置をＯＮ・ＯＦＦ制御するだけでは対象者が不快に感じるおそれがある場合であっても、対象者が快適に感じるような環境に調整することが可能となる。
【００１５】
請求項５に記載の監視ユニットは、請求項４に記載の監視ユニットであって、空気調和手段の空調制御は、風量または温度のいずれかを調整する制御である。
ここでは、空気調和手段の空調制御において、風量または温度のいずれかを調整することができるため、対象者が風量に関してストレスを感じている場合や、温度に関してストレスを感じている場合であっても、いずれかを調整することができるようになる。
【００１６】
請求項６に記載の監視ユニットは、請求項１から５のいずれか１項に記載の監視ユニットであって、心拍数情報は、心電波から求まるＲ波の間隔に基づく情報である。
ここでは、心拍数情報として心電波から求まるＲ波同士の間隔に基づく情報を監視に反映させることができ、対象者の監視をより詳細に行うことが可能になる。
例えば、心電波から求まるＲ波同士の間隔に基づく情報を参照することで、対象者が感じているストレス度合い等を把握することが可能となり、出力手段によって出力されることで、監視する者が対象者の状態をより詳細に把握することができるようなる。また、空気調和手段を備えた場合においては、対象者が感じているストレス度合いについても空調制御に反映させることができるようになる。
【００１７】
請求項７に記載の監視ユニットは、請求項１から６のいずれか１項に記載の監視ユニットであって、情報取得手段は、対象者の心拍数情報と呼吸数情報との少なくともいずれか一方の情報を非接触に取得する。なお、ここでの非接触な状態としては、例えば、情報取得手段が、対象者の身体に直接接しないようにして対象者の着用している被服上に設けられている状態や、対象者から手の届く範囲よりも離れて設けられているような状態等も含まれる。
【００１８】
ここでは、対象者の心拍数情報と呼吸数情報との少なくともいずれか一方の情報を、非接触に取得することができる。このため、情報取得手段を、対象者の身体に接触するようにして設けるのではなく、対象者から離れた位置において設けつつ心拍数情報と呼吸数情報との少なくともいずれか一方の情報を取得することが可能になる。このため、対象者にとって、情報取得手段が身体に取り付けられること等による不快感を低減させることができるようになる。
【００１９】
請求項８に記載の監視ユニットは、請求項７に記載の監視ユニットであって、情報取得手段は、対象者の心拍数情報と呼吸数情報とのいずれか一方の情報を、マイクロ波もしくは超音波を介して取得する。
ここでは、情報取得手段が身体に取り付けられること等により対象者が感じる不快感を低減させるために、マイクロ波もしくは超音波を介して情報を非接触に取得することができるようになる。
【００２０】
請求項９に記載の監視ユニットは、請求項１から８のいずれか１項に記載の監視ユニットであって、ベビーカーに対して着脱可能な取付部をさらに備えている。
ここでは、監視ユニットには、ベビーカーに対して着脱可能な取付部が備わっているため、ベビーカー本体に対して後付けすることが可能になる。また、例えば、対象者が意思表明できるようになった場合等、監視ユニットが不要になった場合に容易に取り外すことができるようになる。
【００２１】
請求項１０に記載の監視ユニットは、請求項１から９のいずれか１項に記載の監視ユニットであって、情報取得手段は、対象者の心拍数情報と呼吸数情報とのいずれの情報も取得可能である。
ここでは、心拍数情報および呼吸数情報の両方の情報について、１つの情報取得手段によって取得することができるようになるため、部品点数を削減することが可能になる。
【００２２】
請求項１１に記載のベビーカーは、情報取得手段と、出力手段とを備えている。情報取得手段は、監視する対象者の心拍数情報と呼吸数情報との少なくともいずれか一方の情報を取得する。出力手段は、情報取得手段が取得した情報に関する出力を行う。心拍数情報には、例えば、単位時間における心拍数に関する情報や心拍の間隔に関する情報等が含まれる。呼吸数情報には、例えば、単位時間における呼吸数に関する情報や呼吸の深さに関する情報等が含まれる。また、出力手段による出力には、単なる心拍数や呼吸数の表示だけではなく、心拍数情報と呼吸数情報とを組み合わせて得られる情報に関する表示や、異常状態を報知したりすること等も含まれる。
【００２３】
意思表明を行うことが困難な対象者をベビーカーに乗せる場合において、監視モニタ等を用いた従来の監視装置付きベビーカー等では、対象者の外面的な様子についての監視を行うことが可能であるものの、内面的な状態についてまで監視するのは困難であることが多い。
これに対して請求項１１に記載のベビーカーでは、情報取得手段によってベビーカーに乗る対象者の心拍数情報等が取得され、出力手段によってその情報に関する内容が出力されるため、対象者を監視する者に心拍数情報等に関する情報を把握させることができるようになる。このため、意思表明が困難な対象者をベビーカーに乗せる際に、外観上では気が付きにくい内面的な状態変化が対象者に生じている場合であっても、対象者の内面的な状態を推測することができるようになる。なお、ここでの内面的な状態としては、例えば、対象者の覚醒度や疲労度およびストレス度等が含まれる。
【００２４】
請求項１２に記載のベビーカーは、情報取得手段と、空気調和手段とを備えている。情報取得手段は、監視する対象者の心拍数情報と呼吸数情報との少なくともいずれか一方の情報を取得する。空気調和手段は、情報取得手段が取得した情報に基づいて対象者の近傍の空気を調和する。心拍数情報には、例えば、単位時間における心拍数に関する情報や心拍の間隔に関する情報等が含まれる。呼吸数情報には、例えば、単位時間における呼吸数に関する情報や呼吸の深さに関する情報等が含まれる。また、出力手段による出力には、単なる心拍数や呼吸数の表示だけではなく、心拍数情報と呼吸数情報とを組み合わせて得られる情報に関する表示や、異常状態を報知したりすること等も含まれる。
【００２５】
従来から、対象者に熱がこもる等で対象者が不快に感じることを抑制するために、例えば、ベビーカーに送風機を設けて熱を逃がしてやり、対象者が快適でいられるように工夫されている。ところが、未だに自らの意思表明を行うことが困難な対象者をベビーカーに乗せる場合において、従来のように送風機等の空調装置によって単純にＯＮ・ＯＦＦ制御を行うだけでは、実際に快適に感じているか不快に感じているのか判断が困難になることが多い。
【００２６】
これに対して請求項１２に記載のベビーカーでは、空気調和手段を備えており、情報取得手段が取得した情報に基づいて、対象者の近傍の空気を調和することができる。このため、未だに自らの意思表明を行うことが困難な対象者の周辺の空気を調和する際に、外観上では対象者の快・不快等の内面的な状態まで把握することが困難な場合であっても、情報取得手段によって取得した情報に基づいて対象者のストレス度等を反映させた空調制御を行うことができる。これにより、周囲の環境を対象者の感じる快適基準に応じて改善させることが可能になる。また、例えば、ここでは、情報取得手段が取得した情報に基づいて空気調和手段を制御するため、空気調和装置をＯＮ・ＯＦＦ制御するだけでは対象者が不快に感じるおそれがある場合であっても、対象者が快適に感じるような環境に調整することが可能となる。
【００２７】
請求項１３に記載の監視システムは、ベビーカーに乗る対象者を監視するための監視システムであって、医療機関通信装置と、情報制御装置とを備えている。医療機関通信装置は、医療機関に設けられている。情報制御装置は、対象者の心拍数情報と呼吸数情報との少なくともいずれか一方の情報を取得する情報取得部と、医療機関通信装置との通信が可能な情報通信部とを有している。心拍数情報には、例えば、単位時間における心拍数に関する情報や心拍の間隔に関する情報等が含まれる。呼吸数情報には、例えば、単位時間における呼吸数に関する情報や呼吸の深さに関する情報等が含まれる。また、出力手段による出力には、単なる心拍数や呼吸数の表示だけではなく、心拍数情報と呼吸数情報とを組み合わせて得られる情報に関する表示や、異常状態を報知したりすること等も含まれる。
【００２８】
意思表明を行うことが困難な対象者を監視する場合において、監視モニタ等を用いた従来の監視システム等では、対象者の外面的な様子についての監視は可能であるが、内面的な状態についての監視は困難となることが多い。
これに対して請求項１３に記載の監視システムでは、情報制御装置が有している情報取得部によってベビーカーに乗る対象者の心拍数情報等が取得され、情報制御装置が有している情報通信部が医療機関に設けられている医療機関通信装置との間で通信されることでその取得された情報に関する内容を送信することができる。このため、医療機関に滞在している医者等の者に、対象者の心拍数情報等に関する情報を知らせることができるようになる。例えば、意思表明が困難な対象者を監視する際に、外観上では気が付きにくい内面的な状態変化が対象者に生じている場合であっても、対象者を監視する者は、医療機関に滞在している医者等によって診断された情報が医療機関通信装置から情報制御装置が有している情報通信部に対して送信されてくることで、対象者の心拍数情報等に基づいた診断結果を把握することができるようになる。なお、ここでの内面的な状態としては、例えば、対象者の覚醒度や疲労度およびストレス度等が含まれる。
【００２９】
なお、上述の医療機関として、対象者の係り付けの医者が勤務等している医療機関を採用した場合には、対象者の過去の病歴や状態を熟知している医者に対して、情報を迅速に知らせることもできるようになる。
請求項１４に記載の監視システムは、請求項１３に記載の監視システムであって、情報通信部は、情報取得部が取得した情報が所定の条件を満たしていない場合に、医療機関通信装置に対して送信する。ここでの所定の条件としては、例えば、対象者の心拍数情報に関して正常と異常とを判断するための上限と下限との閾値の条件や、呼吸数情報に関して正常と異常とを判断するための上限と下限との閾値の条件、もしくは正常状態や異常状態が所定の時間持続されたか否かに関する時間閾値の条件等が含まれる。
【００３０】
ここでは、心拍数情報や呼吸数情報が所定の条件を満たすか否かによって、情報通信部が、医療機関通信装置に対して異常な状態である旨や正常な状態である旨等を送信することができるようになる。このため、情報通信部が取得した対象者についての情報が所定の条件を満たしていない場合に、医療機関に滞在している医者等に対象者の情報を迅速に知らせることができるようになる。
【００３１】
例えば、ここでは、医療機関に滞在している医者等は、対象者の情報を迅速に知ることができるようになるため、対象者に異常が生じた場合に、迅速に態様することができるようになる。
請求項１５に記載の監視システムは、請求項１３または１４のいずれかに記載の監視システムであって、情報通信部は、情報取得部が取得した情報が所定の条件を満たしていない場合に、医療機関通信装置に対して条件を満たしていない場合についての情報を送信する。ここでの所定の条件としては、例えば、対象者の心拍数情報に関して正常と異常とを判断するための上限と下限との閾値の条件や、呼吸数情報に関して正常と異常とを判断するための上限と下限との閾値の条件、もしくは正常状態や異常状態が所定の時間持続されたか否かに関する時間閾値の条件等が含まれる。
【００３２】
ここでは、対象者が、心拍数情報や呼吸数情報等に基づいて正常な状態であると判断される場合、異常な状態であると判断される場合もしくは所定の時間ある状態が持続した場合等に、情報通信部が、一律な態様によって医療機関通信装置に対して送信を行うのではなく、それぞれの条件を満たしていない場合の状態に応じた内容の情報を医療機関通信装置に対して送信する。このため、医療機関に滞在している医者等に、対象者の状態変化についてより詳細に知らせることが可能になる。
【００３３】
例えば、情報取得手段によって取得された心拍数に関する情報が、心拍数に関する所定の上限閾値条件を越えた場合と、所定の下限閾値条件を越えた場合とで、医療機関通信装置に対して送信する内容を違えることにより、医療機関に滞在している医者等は、対象者の心拍数の変化についてより詳細に把握することができるようになる。
【発明の効果】
【００３４】
請求項１に係る監視ユニットでは、意思表明が困難な対象者を監視する際に、外観上では気が付きにくい内面的な状態変化が対象者に生じている場合であっても、対象者の内面的な状態を推測することができるようになる。
請求項２に係る監視ユニットでは、対象者の状態変化をより容易に把握することができるようになる。
【００３５】
請求項３に係る監視ユニットでは、対象者の状態変化について、より詳細に把握することが可能になる。
請求項４に係る監視ユニットでは、周囲の環境を対象者の感じる快適基準に応じて改善させることが可能になる。
請求項５に係る監視ユニットでは、対象者が風量に関してストレスを感じている場合や、温度に関してストレスを感じている場合であっても、いずれかを調整することができるようになる。
【００３６】
請求項６に係る監視ユニットでは、対象者の監視をより詳細に行うことが可能になる。
請求項７に係る監視ユニットでは、情報取得手段が身体に取り付けられること等による不快感を低減させることができるようになる。
請求項８に係る監視ユニットでは、マイクロ波もしくは超音波を介して情報を非接触に取得することができるようになる。
【００３７】
請求項９に係る監視ユニットでは、ベビーカー本体に対して後付けすることが可能になる。
請求項１０に係る監視ユニットでは、部品点数を削減することが可能になる。
請求項１１に係るベビーカーでは、意思表明が困難な対象者をベビーカーに乗せる際に、外観上では気が付きにくい内面的な状態変化が対象者に生じている場合であっても、対象者の内面的な状態を推測することができるようになる。
【００３８】
請求項１２に係るベビーカーでは、周囲の環境を対象者の感じる快適基準に応じて改善させることが可能になる。
請求項１３に係る監視システムでは、医療機関に滞在している医者等の者に、対象者の心拍数情報等に関する情報を知らせることができるようになる。
請求項１４に係る監視システムでは、情報通信部が取得した対象者についての情報が所定の条件を満たしていない場合に、医療機関に滞在している医者等に対象者の情報を迅速に知らせることができるようになる。医療機関に滞在している医者等に対象者の状態変化についてより詳細に知らせることが可能になる。
【００３９】
請求項１５に係る監視システムでは、医療機関に滞在している医者等に、対象者の状態変化についてより詳細に知らせることが可能になる。
【発明を実施するための最良の形態】
【００４０】
＜乳幼児監視システムの外観構成等＞
本発明の一実施形態が採用された乳幼児監視システムの全体構成を示すブロック図を図１に、全体構成を示す概略図を図２においてそれぞれ示す。
乳幼児監視システムは、未だ自ら意思表明をすることが困難な乳幼児１を対象として監視を行うためのシステムであって、主に、ベビーカー１０と、ベビーカー１０に対して取り付けられる監視ユニット２０と、医療機関３０と、無線回線４０等とを備えている。
【００４１】
ベビーカー１０は、図３において示すように、監視対象者である乳幼児１を乗せるための手押し車であり、本体１１と、乗員支持部１２と、前面支持部１３と、庇部１４と、ハンドル１５等とから構成されている。本体１１には、乳幼児１が乗るためのシート等が設けられている。乗員支持部１２は、ベビーカー１０に乗る乳幼児１がベビーカー１０から転落しないように乳幼児１を取り囲むようにして本体１１取り付けられている囲いである。前面支持部１３は、乳幼児１が前側に飛び出さないように設けられている支持板である。庇部１４は、乳幼児１に直射日光が当たりにくいように本体１１の上方部分から前面側に伸びるようにして設けられている。ハンドル１５は、本体の上方背面側に設けられ、乳幼児１の監視する親２がベビーカー１０を移動等させるための操作部分として用いられる。
【００４２】
監視ユニット２０は、監視対象者である乳幼児１についての身体データを取得して各種演算および状態の表示等を行うユニットであって、主に、着脱機構部２１と、心拍・呼吸センサ２２と、マイク２３と、制御ユニット２４と、冷風機２８とから構成されている。
着脱機構部２１は、ベビーカー１０に対して監視ユニット２０を取り付けるための機構を有しており、ベビーカー１０に対して取り付けられることで監視ユニット２０を自動的に待機モードにさせる。なお、図１および図３においては制御ユニット２４のベビーカー１０に対して取り付ける際の代表的な部分のみを示して省略しているが、心拍・呼吸センサ２２、マイク２３、冷風機２８についても同様に、ベビーカー１０に対して取り付ける着脱機構部２１が設けられている。
【００４３】
心拍・呼吸センサ２２は、ベビーカー１０の乗員支持部１２の前端部分の上に取り付けられ、乳幼児１の単位時間当たりの心拍数や呼吸数および乳幼児１の体動情報をセンシングする。具体的には、心拍・呼吸センサ２２は、乳幼児１の心臓近傍に対してマイクロ波の照射を行い、反射されてくる反射波を取得し、増幅等の処理を施して得られた心拍数や呼吸数に関する情報を、制御ユニット２４の制御部２５に対して送信する。
【００４４】
マイク２３は、ベビーカー１０の庇部１４の下に取り付けられ、乳幼児１の鳴き声等を集音して、得られた音声情報を制御ユニット２４の制御部２５に対して送信する。
制御ユニット２４は、ベビーカー１０の庇部１４の上であって親２から見えやすい位置に取り付けられるものであり、制御部２５と、モニタ部２６と、通信部２７等とから構成されている。制御部２５は、各種データを格納可能なメモリを有しており、着脱機構部２１、心拍・呼吸センサ２２、マイク２３、モニタ部２６、通信部２７、冷風機２８と接続されている。制御部２５は、心拍・呼吸センサ２２やマイク２３等から乳幼児１の身体情報を取得して、各種演算処理を行い、モニタ部２６の表示制御、冷風機２８の運転制御および通信部２７の情報送信制御等の各種制御を行う。モニタ部２６は、ＬＣＤパネル２６ａと、スピーカ２６ｂと、図示しない操作ボタンやプリントボタン等を有している。ＬＣＤパネル２６ａには、制御部２５の表示制御によって、乳幼児１の心拍数情報や呼吸数情報等が表示される。スピーカ２６ｂは、制御部２５の表示制御によって、乳幼児１が異常な状態である場合にブザー音を発して、監視をしている親２に対して乳幼児１の危険な状態を報知する。通信部２７は、制御部２５の情報送信制御によって、無線回線４０を介して医療機関３０の通信部３１との間に通信を確立させて、医療機関３０の通信部３１に対して乳幼児１の身体情報等の送信を行う。
【００４５】
冷風機２８は、ベビーカー１０の前面支持板１３の上に取り付けられるものであって、温度調整器２８ａと、風量調整器２８ｂとを有しており、心拍・呼吸センサ２２によって得られる乳幼児１の身体情報等に基づいて制御部２５によって運転制御される。
医療機関３０は、監視対象である乳幼児１の掛かり付けの医療機関３０であって、乳幼児１の過去の病気や疾患等の履歴やカルテ等の情報が保管されており、乳幼児１のことをよく知る掛かり付けの担当医が勤務している施設である。この医療機関３０には、通信部３１や患者別データベース３２等が設けられている。通信部３１は、上述のように無線回線４０を介して監視ユニット２０の通信部２７から乳幼児１の心拍数情報や呼吸数情報等を受信する。また、掛かり付けの担当医等が、送信されてきた心拍数情報や呼吸数情報等と患者別データベース３２に格納されている患者別の過去の診断情報等とを参照して診断を行い、医療機関３０の通信部３１から監視ユニット２０の通信部２７に対して、診断結果や状況に応じた処置態様についてのデータを送信する。これにより、乳幼児１の監視を行っている親２は、乳幼児１の状態に異変が生じた場合でも、掛かり付けの信頼できる担当医によって診断された乳幼児１の診断情報を迅速に知り、対処することができる。
【００４６】
＜ＲＲ間隔と自律神経との関係＞
人間の心拍間隔の変動パターンは、心臓の拍動をコントロールする自律神経の緊張状態の指標となることが知られていることから、上述したように、監視ユニット２０では、このような人間の心拍間隔の変動パターンを心拍・呼吸センサ２２によってセンシングして、モニタ部２６によって乳幼児１の状態を表示したり、冷風機２８によって乳幼児１の周辺環境を改善したりしている。
【００４７】
ここで、上述した心電図波形に見られるＲ波とＲ波との間隔であるＲＲ間隔と、乳幼児１の自律神経との関係を、図５を参照しつつ説明する。なお、このＲＲ間隔は、図６において示すように、特定の周波数におけるスペクトルとして計測され、上述した制御部２５においては、このＲＲ間隔の変化を求めることにより、乳幼児１の状態を把握したり、冷風機２８の運転制御を行っている。
【００４８】
このように、図６において示すような心電図波形上のＲＲ間隔（ＲＲＩ）は、通常、一定に保たれているものではなく、常に変動する性質のものであるといわれている。そして、心臓の鼓動は、自律神経によって支配を受けているとされており、自律神経のうちの身体的・精神的負荷に対して抵抗するため体を活性化させる働きがある交感神経と、休息・休憩を要求する働きがある副交感神経とによって、拮抗的支配を受けている。このため、心拍のＲＲ間隔の変動を解析することによって交感神経と副交感神経との活動状況を明らかにすることができ、これによって、体の活性化が要求されている状態なのか体の休息・休憩が要求されている状態なのかを明らかにすることができる。具体的には、図５において示すように、身体的・精神的負荷によって交感神経の亢進が起これば、心拍数が増加し、ＲＲ間隔が短縮されたスペクトルが検出される。このため、ＲＲ間隔が短くなれば緊張した状態であると推定することが可能であり、長くなればリラックスした状態であると推定することが可能であると考えられる。すなわち、算出されたＲＲ間隔によって、乳幼児１のストレス度を算定することができ、制御部２５は、このようにして算出されたストレス度等に基づいて、モニタ部２６の表示制御や冷風機２８の運転制御を行う。なお、この心拍のＲＲ間隔の変動は、図６において示すように、一般に周波数解析により分析され、周波数特性として、０．０４〜０．１５Ｈｚの低周波領域（以下、ＬＦという）と、０．１５Ｈｚ以上の高周波領域（以下、ＨＦという）との２箇所にピークが生じる。ここで、交感神経系は０．１５Ｈｚ以上の心拍変動を伝達しない特性を有するため、ＬＦとＨＦとの比を算出した場合に、そのＬＦ／ＨＦ値が高いときには主に交感神経が活動していると推定でき、逆にＬＦ／ＨＦ値が低いときには主に副交感神経が活動していると推定することができる。なお、図５において、ＣＶ−ＲＲとは心拍変動係数のことをいう。
【００４９】
＜制御部による乳幼児の監視動作および冷風機制御動作＞
監視ユニット２０の制御部２５による、乳幼児１の監視動作および冷風機２８の制御動作について、図１のブロック図および図４のグラフを用いて以下、説明する。
通常、乳幼児１がベビーカー１０に乗っていない場合には、監視ユニット２０は、待機モードとなっている。そして、監視ユニット２０では、乳幼児１がベビーカー１０に乗った場合には、まず初めに心拍・呼吸センサ２２が乳幼児１の体動情報を一定期間連続して検出することを条件に、自動的に監視モードがＯＮになり、監視制御が開始される。ここでの一定期間は１０秒間と設定しており、乳幼児１の体動情報が連続し１０秒間検出された場合に、監視ユニット２０の監視モードがＯＮになる。なお、ここでは、乳幼児１の心拍数もしくは呼吸数を基準に監視モードをＯＮにするような設定に変更することもできる。
【００５０】
次に、監視制御が開始されると、心拍・呼吸センサ２２が、乳幼児１の心拍数と呼吸数とを測定して、１分毎にデータを取得し始める。
そして、図４において示すように、制御部２５が、心拍数および呼吸数について以下に述べる安定条件を満たすか否か判断を行い、安定条件を満たさなくなった時点から確認時間のカウントを開始する。ここでの心拍数安定条件は、図４において示すように、心拍数安定下限閾値ａ以上であって心拍数安定上限閾値ｂ以下であることであり、また、呼吸数安定条件は、呼吸数安定下限閾値ｃ以上であって呼吸数安定上限閾値ｄ以下であることである。確認時間については、心拍数と呼吸数それぞれについて心拍数確認時間ｔｈと呼吸数確認時間ｔｂとがある。心拍数と呼吸数とのいずれか一方について、安定条件を満たさない状態がそれぞれの確認時間を越えて連続して続いた場合には、制御部２５が、モニタ部２６のＬＣＤパネル２６ａに異常を知らせる旨の表示をしたり、スピーカ２６ｂからブザー音を発信することにより、親２に対して、乳幼児１が異常な状態にある旨を報知させる。なお、ここでの報知部２６における報知の態様としては、心拍数が心拍数安定下限閾値ａを下回った場合、心拍数安定上限閾値ｂを越えた場合、呼吸数が呼吸数安定下限閾値ｃを下回った場合、呼吸数安定上限閾値ｄを越えた場合のそれぞれについて、４種類のパターンでの報知が可能になっており、ＬＣＤパネル２６ａにおける表示と、スピーカ２６ｂから発信される音が、それぞれの異常の状態に応じて異なるように設定されている。
【００５１】
なお、制御部２５は、確認時間をカウントするに際して、マイク２３によって取得された乳幼児１の鳴き声の情報と、心拍・呼吸センサ２２によって取得された体動情報とを考慮する。すなわち、マイク２３から所定の音量以上で所定の周波数の集音があった場合には、乳幼児１が泣いていると判断して、このような音が観測されなくなった後しばらくの間は監視制御を行わない。また、心拍・呼吸センサ２２によって取得された乳幼児１の体動情報が所定の閾値を超えるような激しい動きであった場合についても、このような体動情報が観測されなくなった後しばらくの間は監視制御を行わない。このように監視制御を行わない期間を設けているのは、乳幼児１が泣いている場合や体動が激しい場合には、親２は乳幼児１に対して関心が向きやすく異変が生じていても迅速に状態を把握できることが多いためである。また、このように乳幼児１が泣いている場合や体動が激しい場合には、乳幼児１の健康状態等とは無関係に心拍数や呼吸数が向上していることがあり、間違った状態監視が行われることにより頻繁に異常通知がされることを防ぐためである。また、ここでのしばらくの間としては、３分程度を設定している。監視ユニット２０においては、このようなしばらくの間は監視制御を行わないという設定を変更して、このような機能を解除することも可能である。
【００５２】
また、制御部２５は、心拍・呼吸センサ２２によって測定された心拍数に基づいて上述したストレス度の算出を行い、ストレス度が所定の閾値を超えた場合に冷風機２８の運転を開始する。ここでは、初期設定温度が２３度として運転が開始される。また、初期風量の設定は、運転開始時における乳幼児１近傍の気温と初期設定温度との関係によって定められ、初期設定温度からの差が大きいほど初期風量も大きい値に設定される。また、冷風機２８の運転を開始した後においては、乳幼児１が冷え過ぎること等によって快適性が保たれない事態を防ぐために、ストレス度が所定の閾値を超えた場合に、自動的に温度調整器２８ａによって温度を調整して、風量調整器２８ｂによって風量を調整する自動調節制御を行う。これにより、乳幼児１の周辺の環境を、乳幼児１が快適と感じる状態に維持することができる。なお、ここでの自動調節制御では、運転の開始から一定期間の５分間隔で心拍数の測定を行い、上述したＲＲ間隔を５分間おきに算出し、ＲＲ間隔の変化を参照しながら、制御部２５が、冷風機２８の設定温度を０．５度ずつ変化させる。ここでは、初期設定温度の２３度で運転が開始され、設定温度を２３度に維持したままで初めの５分間運転を行い、初めのＲＲ間隔が求められる。この５分間が経過した際に、設置温度を０．５度だけ上げて２３．５度とし、次の５分間運転して、次のＲＲ間隔を求める。次の５分間が終了して、すなわち運転開始から１０分経過した際に、制御部２５が、初めのＲＲ間隔と次のＲＲ間隔との比較を行い、ＲＲ間隔が長期化する変化であれば、制御部２５は、乳幼児１にとってより快適に感じる側に設定温度がシフトされていると判断して、設定温度を再び０．５度上げて運転する。逆に、ＲＲ間隔が短期化する変化であれば、乳幼児１にとって不快に感じる側に設定温度がシフトされていると判断して、設定温度を０．５度下げて元に戻して運転する。以上の設定変更を風量についても同様に繰り返して、乳幼児１にとって最適な設定温度および設定風量となるように調整される。
【００５３】
なお、乳幼児１の心拍数や呼吸数について異常な状態が続く場合や、親２では対処不可能であると制御部２５によって判断された場合等には、制御ユニット２４の通信部２７が、予め制御部２５に登録された掛かり付けの医療機関３０の通信部３１に対して、無線回線４０を介して乳幼児１の心拍数や呼吸数の情報等を送信する。この際に、掛かり付けの医療機関３０に備わる患者別データベース３２の対処データと照らし合わせる等して得られる対処方法データが、医療機関３０の通信部３１から制御ユニット２４の通信部２７に対して自動的に送信されたり、医療機関３０の担当医等が判断した対処データ等が送信される。これにより、乳幼児１の監視を行っている親２は、乳幼児１の異常な状態に対して迅速に対処することができる。
【００５４】
また、制御部２５は、乳幼児１の体動情報が心拍・呼吸センサ２２から所定時間の間（上述した確認時間よりも大幅に長い間）計測されない状態が続いた場合には、自動的に監視ユニット２０の監視モードおよび冷風機２８をＯＦＦにして省エネ待機モードにする。
＜特徴＞
（１）
一般に、乳幼児の外観上の様子については、従来の監視モニタ付き監視装置等によって把握し易くなったものの、未だ自ら意思表明を行うことが困難な乳幼児の監視において、内面的な状態について把握することは難しい。また、このような内面的な状態変化は乳幼児の表情等となって外観上の様子として表れることもあるが、わずかな表情の変化等からでは内面的な状態を把握することが困難なことも多い。例えば、乳幼児がベビーカーに乗って目を閉じているような状態では、快適な状態で心地よく眠っているのか、不快な状態でぐったりとしているために目をつむっているのか的確に判断してやることは、親等の監視を行う者にとって特に難しい。
【００５５】
これに対して上記実施形態における乳幼児監視システムにおいては、心拍数情報および呼吸数情報等がモニタ部２６に表示されるため、未だ自ら意思表明することが困難な乳幼児１を監視する場合において外観上表れにくいような内面的な変化についても、監視を行う親２は、的確に把握することができるようになる。これにより、乳幼児１の内面的な状態の変化を推測できるようになる。また、乳幼児１が目を閉じているような場合であっても、快適に眠っている状態なのか、不快でぐったりしている状態なのか等に関して察しが付くようになるため、監視する親２は、安心して乳幼児１を見守ることができるようになる。
【００５６】
また、図５において示すように、心拍数情報は、乳幼児１の覚醒度や疲労度およびストレス度等を推し量るための判断材料として利用することができるため、これらの情報を心拍・呼吸センサで取得して制御部２５で解析等することで、乳幼児１の内面的な状態を推測することができる。
（２）
上記実施形態における状態監視システムにおいては、監視ユニット２０が、心拍数情報や呼吸数情報が所定の安定条件を満たすか否かに基づいて、親２に対して、乳幼児１が異常な状態である旨や正常な状態である旨等を知らせることができる。このため、監視を行う親２は、乳幼児１の状態変化をより容易に把握することができ、乳幼児１に対して常時関心を向けていなくてもモニタ部２６に設けられたスピーカ２６ｂからのブザー音によって報知されるため、乳幼児１に異常が起きている場合等について、即座に把握することができ、乳幼児１に対して常に気を配っておく必要もなくなるため、安心して他の作業に集中することも可能になる。
【００５７】
また、取得された心拍数に関する情報が、心拍数に関する所定の上限閾値条件を越えた場合と、所定の下限閾値条件を越えた場合とで、ＬＣＤパネル２６ａでの表示やスピーカ２６ｂのブザー音等が異なる態様で報知するため、監視する親２は、乳幼児１の心拍数がどのような状態に変化したのか、すなわち上がったのか下がったのかについて容易に把握できる。
【００５８】
（３）
従来から、ベビーカーに乗る乳幼児に熱がこもること等を防ぐために、熱を逃がしてやるための送風機が設けられたベビーカーが提案されている。ところが、未だに自らの意思表明を行うことが困難な乳幼児をベビーカーに乗せる場合においては、従来のように単純に風を送る機能だけ有している送風機では、乳幼児が冷え過ぎに感じるおそれもあり、実際に乳幼児が快適に感じているか否かについて判断することが困難となる場合が多い。
【００５９】
これに対して上記実施形態における状態監視システムにおいては、心拍・呼吸センサ２２において取得された情報に基づいて、制御部２５が、乳幼児１の感じているストレス度等を反映させた冷風機２８の運転制御を行い、乳幼児１が快適に感じる環境を実現させることができる。このように乳幼児１の周辺の空気を調和する際に、外観上では乳幼児１の快・不快等の内面的な状態についての把握が困難となる場合であっても、心拍・呼吸センサ２２によって取得した情報に基づいて乳幼児１の感じているストレス度等を反映させた空調制御を行うことができる。したがって、周囲の環境を乳幼児１の感じる快適基準に応じて改善させることが可能になる。
【００６０】
上述した監視システムにおいては、乳幼児１が不快に感じている温度については温度調整器２８ａによって、不快に感じている風量については風量調整器２８ｂによって、それぞれ乳幼児１が快適に感じるように調整することができる。また、乳幼児１が眠っている場合においても、乳幼児１が快適に感じるように調整することができる。
上記実施形態における状態監視システムの冷風機２８では、心拍・呼吸センサ２２によって乳幼児１の体動情報をセンシングすることで、乳幼児１が乗車していない場合等において、冷風機２８を自動的にＯＦＦにする制御が可能なため、冷風機２８の省エネ運転を図ることができる。また、この冷風機２８は、心拍・呼吸センサ２２によって得られた乳幼児１の情報に基づいて、乳幼児１が快適に感じることができるように自動的に温度と風量とを調整する。このため、親２は、冷風機２８の温度や風量等の調節操作を行う必要がなく、親２による冷風機２８の操作性を向上させることができる。
【００６１】
（４）
上記実施形態における状態監視システムにおいては、心拍・呼吸センサ２２は、乳幼児１の身体情報を離れた位置から非接触に取得することができる。このため、乳幼児１は、心拍・呼吸センサ２２が身体に取り付けられることなく、活動における自由度が妨げられることがなく、快適性を損なわないようにすることができる。
【００６２】
（５）
上記実施形態における状態監視システムにおいては、監視ユニット２０において、ベビーカー１０に対して着脱自在な着脱機構部２１が備わっているため、このような監視機能を有さないベビーカーに対しても後付けすることができる。また、乳幼児１が成長して、意思表明することができるように成長した場合等、監視ユニット２０が不要になった場合においては、容易に取り外すことができる。
【００６３】
（６）
上記実施形態における状態監視システムにおいては、監視ユニット２０の心拍・呼吸センサ２２の１つのセンサによって、心拍数情報、呼吸数情報および体動情報を取得することができる。このため、状態監視システムにおける部品点数を削減することができる。なお、部品点数の削減によって、監視ユニット２０全体を小型化でき構造を簡素化させることができる。
【００６４】
（７）
上記実施形態における状態監視システムにおいては、乳幼児１の状態の情報が医療機関３０に自動的に通報され、監視ユニット２０が医療機関３０からの対処方法のデータを受信することができるため、親２は、乳幼児１の状態に異変が生じた場合でも、掛かり付けの信頼できる担当医によって診断された乳幼児１の診断情報を迅速に知り、対処することができる。
【００６５】
＜変形例＞
以上、本発明の一実施形態について説明したが、本発明は上記実施形態に限定されるものではなく、発明の要旨を逸脱しない範囲で種々の変更が可能である。
（Ａ）
上記実施形態における乳幼児監視システムでは、ベビーカー１０と監視ユニット２０とが別々に設けられており、監視ユニット２０が着脱機構部２１によってベビーカー１０に対して着脱自在になるように構成されている場合を例に挙げて説明した。
【００６６】
しかし、本発明はこれに限定されるものではなく、例えば、図７において示すように、監視ユニット１２０が、初めからベビーカー１１０に内蔵されている構成のものであってもよい。この場合においても、上記実施形態における特徴を同様に奏することができる。なお、監視ユニット１２０の構成は、上記実施形態における監視ユニット２０とほぼ同様であり、心拍・呼吸センサ１２２と、マイク１２３と、制御部１２５やモニタ部１２６（ＬＣＤパネル１２６ａおよびスピーカ１２６ｂ等を備える）や通信部１２７等を有している制御ユニット１２４と、温度調整器１２８ａや風量調整器１２８ｂ等を有している冷風機１２８とから構成される。
【００６７】
（Ｂ）
上記実施形態における乳幼児監視システムでは、心拍・呼吸センサ２２の１つの機器によって、乳幼児１の心拍数情報と、呼吸数情報と、体動情報との３つの情報をセンシングしている。しかし、心拍数センサと、呼吸数センサと、体動センサとの３つ、もしくはこれらいずれか２つの組み合わせによって構成されるセンサを採用して、別個に各情報を取得するようにしてもよい。これにより、例えば、周波数解析のための高価な器具等が不要になることで各センサを安価にでき、乳幼児監視システムのコストダウンを図ることが可能になる。
【００６８】
また、上記実施形態における乳幼児監視システムでは、乳幼児１の心拍数、呼吸数および体動情報を測定するためにマイクロ波センサを採用している。これに対して、超音波センサ、空気圧式マット型センサや静電式マット型センサ等のセンサを採用してもよい。
（Ｃ）
上記実施形態における乳幼児監視システムでは、心拍・呼吸センサ２２は、乳幼児１に対して非接触となるようにして設けられている。しかし、心拍・呼吸センサ２２は、乳幼児１に接するようにして設けられていてもよい。この場合には、心拍・呼吸センサ２２の性質によっては、乳幼児１から心拍数情報や呼吸数情報を取得する際における感度等をより向上させることができ、情報の検出精度を向上させることが可能になる。また、乳幼児１が着用している被服に心拍・呼吸センサ２２を設けるようにしてもよい。
【００６９】
（Ｄ）
上記実施形態における乳幼児監視システムでは、乳幼児１の周辺の環境を良好に保つ器具として、冷風機２８が設けられている場合を例に挙げて説明した。これに対して、乳幼児１の周辺の環境を良好に保つ器具としては、温風機、加湿機、除湿機、脱臭機や除菌機等の空気清浄器等、さらにはこれらが組み合わされたものであってもよい。
【００７０】
（Ｅ）
上記実施形態における乳幼児監視システムでは、制御ユニット２４と、心拍・呼吸センサ２２、マイク２３や冷風機２８等は通信線を介して接続されている。これに対して、これらの間での情報の送受信は、無線により行われる構成であってもよい。
また、監視ユニット２０の通信部２７と医療機関３０の通信部３１との間の通信についても、上記実施形態において示した無線回線４０による通信に限られるものではない。例えば、有線を介して通信することも可能である。
【００７１】
（Ｆ）
上記実施形態における乳幼児監視システムでは、監視対象者の乳幼児１が乗るベビーカー１０に監視ユニット２０を設ける場合を例に挙げて説明している。これに対して、上述の監視ユニット２０は、乳幼児１が横たわるためのベビーベッドや、老人が用いる介護用器具、身体的ハンディキャップを有する人が用いる器具等に対して適用して、これらの者を監視することも可能である。
【００７２】
（Ｇ）
上記実施形態における乳幼児監視システムでは、モニタ部２６のＬＣＤパネル２６ａとスピーカ２６ｂとによって乳幼児１の状態を報知しているが、発光する色が異なる４つのＬＥＤをモニタ部２６に設ける等して、これらの発光素子によって報知できるようにしてもよい。
【００７３】
（Ｈ）
乳幼児１の心拍数および呼吸数については、監視される乳幼児１の体質によって異なる場合があり、ある乳幼児では正常と判断される値が測定された場合であっても、他の乳幼児にとっては異常な値であると判断されることがある。このため、親等の監視者が、乳幼児１の健康な通常状態での心拍数および呼吸数の情報を基準値として監視ユニット２０の制御部２５のメモリにデータベースとして格納しておいてもよい。この場合には、乳幼児１が異なる毎に、図４において示す心拍数安定条件と呼吸数安定条件とが異なることになり、監視する乳幼児１の体質を反映させたより正確な監視ができるようになる。
【産業上の利用可能性】
【００７４】
本発明によれば、意思表明を行うことが困難な対象者を監視する場合であっても、対象者の内面的な状態の推測が可能となるため、ベビーカーに乗る対象者を監視するための監視ユニットや監視システムへの適用が特に有用である。
【図面の簡単な説明】
【００７５】
【図１】乳幼児監視システムの全体構成を示すブロック図。
【図２】乳幼児監視システムの全体構成を示す概略図。
【図３】ベビーカーについての説明図。
【図４】心拍数および呼吸数の変化および異常報知のタイミングを示すグラフ。
【図５】ＲＲ間隔と自律神経との関係を示すブロック図。
【図６】心拍の周波数解析の波形とＲＲＩの説明図。
【図７】変形例（Ａ）に係る監視ユニット内蔵型のベビーカーのブロック図。
【符号の説明】
【００７６】
１    対象者（乳幼児）
１０    ベビーカー
２０    監視ユニット
２１    取付部（脱着機構部）
２２    情報取得手段（心拍・呼吸センサ）
２６    出力手段（モニタ部）
２７    情報取得通信部（通信部）
２８    空気調和手段（冷風機）
３０    医療機関
３１    医療機関通信装置（通信部）
１１０    ベビーカー
１２２    情報取得手段
１２６    出力手段
１３０    空気調和手段
【図１】
2005237719.tif 000003
【図２】
2005237719.tif 000004
【図３】
2005237719.tif 000005
【図４】
2005237719.tif 000006
【図５】
2005237719.tif 000007
【図６】
2005237719.tif 000008
【図７】
2005237719.tif 000009